(57)【要約】【課題】電力線に繋いだ電力線通信装置によってデータ通信を開始する前に、通信速度と通信品質を確保できるか否かをユーザーが容易に知ることができる電力線通信装置を提供する。【解決手段】ユーザーインタフェース１００を介して判定基準の設定を行う判定基準設定部１０１、比較基準の設定を行う比較基準設定部１０２、判定及び比較回数を設定する判定/比較回数設定部１０３、または、判定/比較周期を設定する判定／比較周期設定部１０４によって設定値を設定し、伝送路状況判定部１０５によって通信相手との通信に先立ち行われるハンドシェーク時の情報を元に、伝送路の状況を判定し、その判定結果をメモリー部１０７に記憶し、メモリー部１０７に蓄積される判定結果を比較部１０６で比較し、その比較結果を表示部１０８で表示してユーザーに知らせる。【選択図】図１
2007312176.tif 000002
【特許請求の範囲】
【請求項１】
情報端末と電力線の間に介装して、電力線を伝送路として通信する電力線通信システムに用いる電力線通信装置において、
電力線に接続された電力線通信装置に電源供給を行う電源部と、
伝送路とした電力線に通信信号を入力・出力する電力線通信部と、
電力線通信装置を電力線に接続した際に通信相手との通信に先立ち行うハンドシェーク時の情報に基づき、伝送路の状況を判定する伝送路状況判定部と、
伝送路状況判定部の判定結果を記憶するメモリー部と、
メモリー部に蓄積される判定結果を比較する比較部と、
比較結果をユーザーに知らせる表示部とを具備することを特徴とする電力線通信装置。
【請求項２】
伝送路状況判定部の判定基準、判定回数、または判定周期を、ユーザーが設定するための判定基準設定部を具備することを特徴とする請求項１に記載の電力線通信装置。
【請求項３】
メモリー部に蓄積される判定結果を比較する比較部の比較基準、比較回数、または比較周期をユーザーが設定するための比較基準設定部を具備することを特徴とする請求項１に記載の電力線通信装置。
【請求項４】
比較結果をユーザーに知らせる表示部は、伝送路状況を判定中、または比較中であることを表示する機能を具備することを特徴とする請求項１に記載の電力線通信装置。
【発明の詳細な説明】
【技術分野】
【０００１】
本発明は、ＡＤＳＬや光ファイバーを介した外部の幹線系インターネット通信網に接続する宅内の通信網を電力線によって構成する電力線通信(「ＰＬＣ：Power Line Communication」とも称する)システムにおいて、パーソナルコンピュータ等の情報端末（以下「ＰＣ」と略記する）の情報を電力線の経由でやり取りできるようにするＰＬＣアダプタ等の電力線通信装置に関する。
【背景技術】
【０００２】
現状において、米国やヨーロッパなどで販売・使用されている主に宅内用の電力線通信装置は、電力線の取り出し口として壁に設置された電源コンセントにそのまま接続できるアダプタ型（ＰＬＣアダプタ）である。
【０００３】
そのタイプの電力線通信装置は、電力線への接続端子（通常コンセントに差込むタイプのプラグ）の他にイーサネット（登録商標）コネクタを持ったものが多く、表示部として、ＰＬＣリンクの確立／異常、イーサネット確立／異常など、通信の確立に関する表示のみを行う機能が与えられていた。
【０００４】
通信速度や、通信品質に関して、実際に電源コンセントに接続した電力線通信装置に、そのイーサネットコネクタによってパーソナルコンピュータ等の情報端末（以下「ＰＣ」という）を接続して、ＰＣ上で動作するスループットを測定するアプリケーションソフトを使用しなければ、データのスループットの良し悪し、つまり上記通信速度や通信品質を知ることができなかった。
【０００５】
上記のことから、ユーザーは宅内にある多くの電源コンセントのうちで、通信速度や通信品質が高いコンセントを選択するためには、まず、電力線通信装置を電源コンセントと接続し、またＰＣをイーサネットに接続して、ＰＣにおいてスループット測定用のアプリケーションソフトを起動させた後に、実際に通信を行うといった一連の作業が発生し、電源コンセントを確定するのに時間がかかるという問題点があった。
【０００６】
なお、電力線通信システムにおける通信速度や通信品質を高める技術として、従来、やり取りされるデータの誤り検出・訂正回数や、再送回数に基づき、伝送路状況に対応した伝送パラメータを使用することで、伝送効率が高い電力線通信を行う技術が提案されている（例えば特開２０００−１７４７３１号公報：特許文献１参照）。
【０００７】
また、データ処理端末と端末コントローラとを結ぶ通信回線として、電力線と電力線以外の通信回線を併用して、それぞれ伝送データの種類別に伝送媒体に電力線または通信回線のいずれを使用するか予め設定した回線選択テーブルと、伝送データが発生するとその回線選択テーブルに基づいて伝送データの種類に応じた伝送媒体を識別する回線識別手段とを設けて、電力線および通信回線相互の間通信効率を高める技術が提案されている（例えば、特開２０００−３３９５５１号公報：特許文献２参照）。
【０００８】
ただ、特許文献１や２に開示のものは、回線の伝送特性を調べる技術に関するが、同一回線に上に並列して設置される複数の電源コンセントに関してその電源コンセント個々のスループットまで調査することはできないという問題点が残るものである。
【特許文献１】特開２０００−１７４７３１号公報
【特許文献２】特開２０００−３３９５５１号公報
【発明の開示】
【発明が解決しようとする課題】
【０００９】
本発明は、上記従来の問題点を解決するためなされたものであって、電力線に繋いだ電力線通信装置によってデータ通信を開始する前に、通信速度と通信品質を確保できるか否かをユーザーが容易に知ることができる電力線通信装置の提供を課題とする。
【課題を解決するための手段】
【００１０】
本発明は、情報端末と電力線の間に介装して、電力線を伝送路として通信する電力線通信システムに用いる電力線通信装置において、電力線に接続された電力線通信装置に電源供給を行う電源部と、伝送路とした電力線に通信信号を入力・出力する電力線通信部と、電力線通信装置を電力線に接続した際に通信相手との通信に先立ち行うハンドシェーク時の情報に基づき、伝送路の状況を判定する伝送路状況判定部と、伝送路状況判定部の判定結果を記憶するメモリー部と、メモリー部に蓄積される判定結果を比較する比較部と、比較結果をユーザーに知らせる表示部とを具備することを特徴とする電力線通信装置である。
【００１１】
本発明においては、伝送状況路判定部の判定基準、判定回数、または判定周期を、ユーザーが設定するための判定基準設定部を具備することが好適である。
【００１２】
本発明においては、メモリー部に蓄積される判定結果を比較する比較部の比較基準、比較回数、または比較周期をユーザーが設定するための比較基準設定部を具備することが好適である。
【００１３】
本発明においては、比較結果をユーザーに知らせる表示部は、伝送路状況を判定中、または比較中であることを表示する機能を具備することが好適である。
【発明の効果】
【００１４】
本発明によれば、電力線通信装置を電力線に接続した際に通信相手との通信に先立ち行うハンドシェーク時の情報（機器の機能情報や通信方法・方式情報等）に基づき、伝送路の状況（例えば対となる電力線通信装置との間の伝送路で使用できる通信方式、通信速度等）を判定し、その判定結果に基づきユーザーが接続した電力線の電源コンセントがどの程度の通信速度と通信品質を確保できるのかＬＥＤ（光電変換素子）やＬＣＤ（液晶素子）等を使用し、わかりやすく伝える。
【００１５】
したがって、電力線通信装置を電力線に接続したらすばやく、ユーザーのニーズにあった、最適な電源コンセントを簡単に特定することが可能となり、また、設置後の伝送路状況をモニタリングできる。
【００１６】
例えば、ユーザーは宅内にある多くの電源コンセントから、通信速度や通信品質が高いコンセントを選択する際には、本発明の採用によって、電力線通信装置を電源コンセントと接続するだけで伝送路状況を把握でき、簡単にコンセント選択ができるため、従来のように、電力線通信装置を設置後に、ＰＣをイーサネットで接続し、ＰＣにてスループット測定用のアプリケーションソフトを起動させて実際に通信を行うといった一連の作業を行う必要が無いので、電源コンセントの確定を、時間をかけずにすみやかに行える。
【００１７】
また、各設定部を設けて、判定基準や比較基準、判定／比較期間、周期をユーザーが任意に設定可能にすることによって、ユーザーのニーズにあった通信速度、通信品質を設定できる。
【発明を実施するための最良の形態】
【００１８】
以下本発明の実施の形態を、図面を参照しながら詳細に説明する。
【００１９】
図１は、本発明に係る電力線通信装置の実施形態（ＰＬＣアダプタとも称する）を説明するブロック図である。
【００２０】
この電力線通信装置を説明する。
図１に示すように、実施形態に係る電力線通信装置は、電力線１０を介してＰＣ同士またはＰＣと外部（外部回線３０）との間での通信を行う電力線通信システムに用いるものにおいて、判定基準、比較基準、判定／比較回数、判定／比較周期をユーザーが設定するためのインタフェースであるユーザーインタフェース１００、判定基準の設定を行う判定基準設定部１０１、比較基準の設定を行う比較基準設定部１０２、判定及び比較回数を設定する判定/比較回数設定部１０３、判定/比較周期を設定する判定／比較周期設定部１０４、通信相手との通信に先立ち行われるハンドシェーク時の情報を元に、伝送路の状況を判定する伝送路状況判定部１０５、伝送路状況判定部１０５からの判定結果を記憶するメモリー部１０７、メモリー部１０７に蓄積される判定結果を比較する比較部１０６、および比較結果をユーザーに知らせる表示部１０８を主に備えて構成される。
【００２１】
さらに、電力線通信装置は、電力線１０から受電した電力に基づきこの電力線通信装置２０１，２０３，２０５に電源供給を行う電源部１１０、および、外部回線３０とＰＣ２０２，２０４とのデータのやり取りを電源部１１０から電力線１０を介してＰＬＣ通信によって行うＰＬＣ通信部（電力線通信部）１０９を備えて構成される。
【００２２】
実施形態では、ブロードバンドルーター２００，ＰＣ２０２，２０４がイーサネットケーブル等の通信回線２０によって各電力線通信装置２０１，２０３，２０５のＰＬＣ通信部１０９…にそれぞれ接続されている。
【００２３】
また、外部回線３０は、後述するブロードバンドルータ２００および通信回線２０を経由して一つの電力線通信装置のＰＬＣ通信部１０９に信号経路が接続されている。
【００２４】
また、各電力線通信装置２０１，２０３，２０５のＰＬＣ通信部１０９同士は、電源部１１０から電力線１０を通じてＰＬＣ通信できるようになっている。
【００２５】
判定基準設定部１０１は、データ伝送スピード（スループット（Ｍｂｐｓ：メガビットパーセカンド））を所定又は任意範囲で判定基準として設定する。
【００２６】
比較基準設定部１０２は、所定時例えば前回電力線通信装置をコンセントに接続した際のデータ伝送速度（スループット）を比較基準として設定する。
【００２７】
判定／比較回数設定部１０３は、判定結果および比較結果を繰り返す伝送路状況判定部１０５によって行う判定の回数、および比較部１０６によって行う比較の回数を任意に設定する。
【００２８】
複数回の判定および比較を行うのは次の理由による。
一般家庭の電力線は、基本的に他の家電機器も接続された状態であり、また、家電機器が動作しているか、していないかで、発生するノイズレベルや、電力線自体のインピーダンスが時間的に変わる。また、サージ等の雑音で悪影響を受けるなど、外部からの要因により、伝送路状況が変化する。したがって、電力線通信装置をコンセントに接続した場合に１回の判定および比較を行うのでは、その結果が何らかの外部要因により影響を受け、誤った判定を行っている恐れがある。そのため、好ましくは、判定および比較の一連の手順を複数回繰り返し行うものである。
【００２９】
ただ、何回も繰り返すと、判定結果の確度は上がるか、回線の確立までに時間が費やされてしまうので、実施形態では５回繰り返すこととしている。
【００３０】
判定／比較周期設定部１０４は、コンセントの接続後に、前述のような外部要因により、通信状況が変化し、当初希望の通信品質が確保できない、もしくは回線接続がとぎれることがあるので、判定および比較の一連の手順を所定周期例えば１時間毎に行う。
【００３１】
表示部１０８は、実施形態では、赤色ＬＥＤおよび緑色ＬＥＤを連続点灯または点滅させる表示をして比較結果をユーザーに知らせるものである。表示部はＬＥＤ以外の表示デバイスを任意に設置でき、例えば、ＬＣＤ（液晶）ディスプレイを設けて、その表示画面に判定および比較結果の履歴を今回、前回、前々回…と表示することができる。
【００３２】
次に、上記電力線通信システムの詳細を説明する。
図２は、実施形態に係る電力線通信装置２０１，２０３，２０５を配設した通信システムの構成図である。この電力線通信装置２０１，２０３，２０５は、複数（１でもよい）台のＰＣ２０２，２０４を電力線にそれぞれ接続する。
【００３３】
図２に示す電力線通信システムでは、ＡＤＳＬや光ファーバー等の外部回線と接続するインタフェースを持つブロードバンドルータ２００と、このブロードバンドルータ２００にイーサネットケーブル等の通信回線２０（２０ａ）によって接続されて、この通信回線２０を介して送信(受信)されるデータをＰＬＣ通信用データに変換すると共に、電力線１０と接続されて、その電力線１０上でＰＬＣ通信用データを送信(受信)する電力線通信装置２０１と、ＰＣ２０２，２０４に通信回線２０（２０ｂ，２０ｃ）によって接続されてこの通信回線２０を介して送信(受信)されたデータをＰＬＣ通信用データに変換すると共に、電力線１０と接続されて、その電力線１０上にデータを送信(受信)する電力線通信装置２０３，２０５とを有して構成される。
【００３４】
電力線通信装置２０１，２０３，２０５は、電力線１０には例えば家庭用電灯線に用いる低圧単相電力線を用いており、電力線１０の適宜設けた２端子タイプ（アース端子を有してもよい）の電源コンセント４０に２ｐプラグを差込むことにより接続する。
【００３５】
ここで、例えば、ＰＣ２０４がブロードバンドルータ２００を経由して、ＡＤＳＬや光ファイバー等の外部回線３０を介して、インターネット接続を行おうとした場合、ＰＣ２０４のインターネット接続要求は、通常のイーサネットフレームにて（通信回線２０を介して）、電力線通信装置２０５に送信される。
【００３６】
この場合、電力線通信装置２０５は、ＰＣ２０４のインターネット接続要求を、イーサネットフレームからＰＬＣフレームに変換し、電力線１０を介して電力線通信装置２０１に送信する。
【００３７】
この電力線通信装置２０１は、受信したＰＬＣフレームのインターネット接続要求をイーサネットフレームに変換し、ブロードバンドルータ２００に送信する。
ブロードバンドルータ２００は、受信したイーサネットフレームのデータに従って、外部回線３０を通じてインターネット接続を行う。
【００３８】
図３は、図２に示す電力線通信システムにおいて電力線通信装置を接続する電源コンセント４０をユーザーが選択するときのフローチャートである。各ステップは「Ｓ…」と略記する。
【００３９】
まず、ユーザーが任意の電源コンセント４０にＰＬＣアダプタを接続する（Ｓ３０１）。
接続された電力線通信装置は、すでに接続されているブロードバンドルータ２００と接続している電力線通信装置（ＰＬＣアダプタ）２０１と通信を確立するためのハンドシェークを開始する（Ｓ３０２）。
【００４０】
通常、ハンドシェークでは、通信準備として、通信機器の装備している機能についての情報や実際のデータ通信で使用できる方式、プロトコル等の情報を交換するために行われ、ハンドシェーク時のデータは情報として確実に伝送する必要がある。したがって、データの伝送において、データ誤りやデータの再送が発生しないよう、フレームサイズが短く、シンボルレートの低い変調方式が使用される。(例えば、米国の電力線通信推進団体であるＨｏｍｅｐｌｕｇ  Ｐｏｗｅｒｌｉｎｅ  Ａｌｌｉａｎｃｅにて制定された米国の電力線通信規格であるＨｏｍｅｐｌｕｇ１．０（以降、Ｈｏｍｅｐｌｕｇ１．０という）では、最大１４Ｍｂｐｓの伝送速度に対し、ＲＯＢＯ（Ｒｏｂｕｓｔ  ＯＦＤＭ（直交周波数分割多重））モードという、３〜５Ｍｂｐｓの低速の制御用モードを使用する。)
また、ハンドシェークの方式は、送信側の通信要求、受信側の要求応答というメッセージデータを使用する、ＴＣＰ／ＩＰ通信（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）で使用される３ウェイ・ハンドシェークが一般的である。ここでは、ハンドシェーク方式自体の規定はないが、実施例の説明の簡便化のため、３ウェイ・ハンドシェークを使用することとし説明する、
【００４１】
ハンドシェークのやり取りは、まず、送信側が、通信相手に対し、自身の機器能力情報（対応しているプロトコル、通信速度等）を含めた、通信要求を送信する。
通信相手（受信側）は、送信要求を受信し、そこに含まれる送信側の機器能力情報を抽出し、今度は通信相手自身の機器能力情報を含め、要求応答を送信側に送る。
送信側は、通信相手からの要求応答から、通信相手の機器能力情報を抽出し、この一連の動作における変復調での誤り率、受信強度を加味し、自身及び通信相手側にとって最適な通信方式（例えばＨｏｍｅｐｌｕｇ１．０では、変調方式としてＤＢＰＳＫ（作動位相変調方式）を使用するのか、ＤＱＰＳＫ（差動四位相偏移変調方式）を使用するのかを選択）、どのサブキャリアを使用するのか等のパラメータの選択）を通知する。
通知を受けた通信相手側も、自端末側の変復調での誤り率、受信強度を加味し、通知された内容が許容できるものであれば、許可通知を行い、許容できない場合は、不可通知を行うとともに、送信側に対して、許容できる通信方式を通知する。このやり取りはお互いの機器が許容できるまで行われる。
前述のように、やり取りされるデータ（パラメータ）は、お互いの機器が安定した通信を実現するための妥協点であり、すなわち、これが現状の伝送路及び機器間に適した通信であること示している(例えばＨｏｍｅｐｌｕｇ１．０では、理想伝送路の場合、変調方式はＤＱＰＳＫを使用し、８４本のサブキャリアを使用して通信を行う)。
【００４２】
前述のハンドシェークでやり取りされた最適な通信方式に係わるパラメータを抽出する（Ｓ３０３）。
電力線通信装置２０１，２０３，２０５をコンセントに繋ぐ前又は、判定および比較処理以前に判定基準設定部１０１および比較基準設定部１０２には、デフォルト（またはユーザーの設定）で伝送路状況の判定基準と判定結果の比較基準の初期値が設定されており、メモリー部１０７に記憶されている（Ｓ３０４、Ｓ３０５）。
実施形態では、判定基準は、例えば、スループットが２Ｍｂｐｓ以上５Ｍｂｐｓ以下とされる。また、比較基準は、１つ前のコンセントに接続した時の結果と比較する内容に設定される。もちろん、判定基準または比較基準の少なくとも一方を、電力線通信装置の作動開始後にデフォルトの初期値から設定または各種条件に応じて変更することができる。
【００４３】
ここで、抽出されたハンドシェークでやり取りされた最適な通信方式に係わるパラメータを元に、設定された判定基準を用いて伝送路状況判定部１０５によって伝送路状況の判定を行う（Ｓ３０６）。判定は判定基準設定部１０１の初期値等の内容に従い行われる。
【００４４】
その判定結果をメモリー部１０７及び比較部１０６に伝える。
メモリー部１０７は、判定結果を記憶し、比較部１０６は、比較基準設定部１０２の比較設定内容に従って比較し（Ｓ３０７）、比較結果を表示部１０８に伝える（Ｓ３０８）。
【００４５】
表示部１０８においては、比較結果をＬＥＤ及びＬＣＤ等を使用して、ユーザーに知らせる。
この場合、判定結果および比較結果の双方が、それぞれの基準をクリアし、かつ回線確立のできる伝送路状況であるとの結果であれば（ＯＫ）、表示部１０８で緑色ＬＥＤを点灯する（Ｓ３０８）。
【００４６】
一方、判定結果および比較結果の少なくとも一方が、それぞれの基準をクリアできない、または回線確立が困難な伝送路状況である等の芳しく無い結果であれば（ＮＧ）、表示部１０８で赤色ＬＥＤを点灯する（Ｓ３０９）。
【００４７】
図４は、ユーザーが判定基準や比較基準を設定する場合のフローチャートである。
ユーザーが任意の電源コンセントに電力線通信装置を接続する（Ｓ４０１）。
【００４８】
接続された電力線通信装置は、すでに接続されているブロードバンドルータ２００と接続している電力線通信装置２０１と通信を確立するためのハンドシェークを開始する（Ｓ４０２）。
【００４９】
ハンドシェークでやり取りされた最適な通信方式に係わるパラメータを抽出する（Ｓ４０３）。このときまたはこの後、ユーザーは、任意に判定基準及び、比較基準、判定／比較回数及び、判定／比較周期を、ユーザーインタフェース１００を使用し、判定基準設定部１０１、比較基準設定部１０２、判定／比較回数設定部１０３、判定／比較周期設定部１０４に設定することが可能である（Ｓ４０４）。ユーザーインタフェース１００は、別体でなくても電力線通信装置自体にディップスイッチ等のスイッチを一体に取り付けたような構成としても構わない。ユーザーは直接電力線通信装置で設定を行うことができる。
【００５０】
上記ユーザーインタフェース１００を用いた任意のユーザー設定により、判定基準、例えば、スループットが２Ｍｂｐｓ以上５Ｍｂｐｓ以下と記載されているスイッチをＯＮとすると、その設定内容が、判定基準設定部１０１に設定される（Ｓ４０５）。その判定基準によってハンドシェーク情報に基づき伝送路状況の判定を行う（Ｓ４０６）。例えば、ハンドシェーク情報より、通信速度４Ｍｂｐｓで通信を行うとことが判明した場合、この伝送路は、４Ｍｂｐｓ通信速度が確保できるものと判定し、また、ユーザー設定条件をクリアしているため、次のステップに進むことができる。
【００５１】
また、比較基準を１つ前の結果と記載されているスイッチをＯＮにすれば、比較基準設定部１０２の比較基準が１つ前のコンセントに接続した時の結果と比較する内容に設定される（Ｓ４０７）。比較部１０６は、メモリー部１０７より、１つ前の結果を読出し、スループットが同等またそれ以上であるか否かの比較を行う（Ｓ４０８）。例えば、この場合、１つ前の判定結果が３Ｍｂｐｓであるとすると、メモリー部１０７には３Ｍｂｐｓが記憶されており、比較部１０６は、この３Ｍｂｐｓと４Ｍｂｐｓを比較する。１つ前の結果より、良好な結果であるため、比較基準をクリアし、次のステップに進むことができる。
【００５２】
また、判定／比較回数を５回と記載されているスイッチをＯＮとすれば、判定／比較回数設定部１０３が判定／比較の一連の手順を５回繰り返す設定になる（Ｓ４０９）。例えば、前述のＳ４０８までの手順の結果が５回とも４Ｍｂｐｓであるならば、次のステップに進むことができる。
【００５３】
また、判定／比較周期を１時間と判定／比較周期設定部１０４に設定して（Ｓ４１１）、同様の判定／比較基準にて、判定／比較を５回、１時間毎に行うようになる（Ｓ４１０、Ｓ４１２）。例えば、１時間後に、前述のＳ４０９までのステップを再度行い、同様に４Ｍｂｐｓならば、条件を満たしているため、ＬＥＤ、ＬＣＤ等の表示手段を使用した表示部によってユーザーに判定結果がＯＫであることを表示して知らせる（報知する）。その他、音声や振動によって報知することもできる。
【００５４】
判定／比較回数が多くなると、比較結果が出るまで時間がかかり、その間、表示部１０８はＬＥＤ、ＬＣＤを使用して、判定中であることをユーザーに知らせる（Ｓ４１３）。
例えば、ＬＥＤを点滅させるなどの表示方法を用いてもよい。
【００５５】
表示部１０８における判定／比較結果の表示については、前述の内容にて、判定基準をスループットが２Ｍｂｐｓ以上５Ｍｂｐｓ以下を満たしている場合は、比較処理に移行するが、満たさない場合は、比較処理に移行せず、その時点で、ＬＥＤを赤点灯させるなどの表示を行う（Ｓ４１４）。
【００５６】
一方、判定基準を満たし、比較処理に移行した場合は、比較基準に従い比較を行い、１つ前の結果と比較し、スループットが同等または、それ以上である場合は、ＬＥＤを緑点灯させるなどの表示を行う（Ｓ４１５）。それ以下である場合は、前述と同様、ＬＥＤを赤点灯させるなどの表示を行う。
【図面の簡単な説明】
【００５７】
【図１】本発明の実施形態に係る電力線通信装置（ＰＬＣアダプタ）の構成を説明するブロック図である。
【図２】実施形態に係る電力線通信システムの接続図である。
【図３】伝送路状況判定の基本フローチャートである。
【図４】ユーザー設定による伝送路状況判定フローチャートである。
【符号の説明】
【００５８】
１０  電力線
２０  通信回線
３０  外部回線
４０  電源コンセント
１００  ユーザーインタフェース
１０１  判定基準設定部
１０２  比較基準設定部
１０３  判定／比較回数設定部
１０４  判定／比較周期設定部
１０５  伝送路状況判定部
１０６  比較部
１０７  メモリー部
１０８  表示部
１０９  ＰＬＣ通信部（電力線通信部）
１１０  電源
２００  ブロードバンドルータ
２０２，２０４  ＰＣ
２０１，２０３，２０５  電力線通信装置（ＰＬＣアダプタ）
【図１】
2007312176.tif 000003
【図２】
2007312176.tif 000004
【図３】
2007312176.tif 000005
【図４】
2007312176.tif 000006